(57)【要約】【課題】  テラス囲い等の内部の任意の位置に設置可能な棚を提供する。【解決手段】  横材と、横バーと、棚板を備え、横バーは、横材の室内側に隙間を空けて配置されており、棚板は、横バーに載置したときに横バーに係合する係合凹部と、隙間に嵌まり込む当接部とを有し、当接部が横材に当接することを特徴とする棚。【選択図】      図１
2019202033.tif 000002
【特許請求の範囲】
【請求項１】
横材と、横バーと、棚板を備え、
横バーは、横材の室内側に隙間を空けて配置されており、
棚板は、横バーに載置したときに横バーに係合する係合凹部と、隙間に嵌まり込む当接部とを有し、当接部が横材に当接することを特徴とする棚。
【発明の詳細な説明】
【技術分野】
【０００１】
本発明は、テラス囲い等の簡易構造物の室内に取り付け可能な棚に関する。
【背景技術】
【０００２】
従来、テラス囲い等の内部に取り付け可能な棚は固定式で、移動できないものであった。そのため、テラス囲い等の内部で洗濯物を干す際に、洗濯はさみ等の小物を置く棚を任意の位置に設置したいといった要望があった。
【発明の概要】
【発明が解決しようとする課題】
【０００３】
本発明は上記課題に鑑み、テラス囲い等の内部の任意の位置に設置可能な棚を提供することを目的とする。
【課題を解決するための手段】
【０００４】
本発明の棚は、横材と、横バーと、棚板を備え、横バーは、横材の室内側に隙間を空けて配置されており、棚板は、横バーに載置したときに横バーに係合する係合凹部と、隙間に嵌まり込む当接部とを有し、当接部が横材に当接することを特徴とする。
【発明の効果】
【０００５】
本発明によれば、棚板は無目に当接していることで横バーを軸とする回動を規制されているので、棚板が回動したり横バーから落下したりすることなく安定して設置可能である。したがって、横バーの任意の位置に棚板を載置し、係合凹部を横バーに係合させるだけで棚を設置可能であるので、テラス囲い等の内部で洗濯物を干す際に、棚板を所望の場所へ移動自在であり、また、棚を使わないときには棚板を容易に外すことができるので、利便性に優れる。
【図面の簡単な説明】
【０００６】
【図１】図５のＡ−Ａ線断面図である。
【図２】本発明の棚を備える簡易構造物の（ａ）は側面図、（ｂ）は正面図である。
【図３】本発明の棚を備える簡易構造物の内観の一部を示す概略図である。
【図４】棚板の（ａ）は平面図、（ｂ）は正面図、（ｃ）は側面図である。
【図５】棚の正面図である。
【図６】棚の平面図である。
【図７】棚の外観を示す概略図である。
【発明を実施するための形態】
【０００７】
以下、本発明の実施の形態を図面に基づいて説明する。本発明の棚の使用場所は特に限定されるものではないが、ここでは建物の外壁に沿って設置されるテラス囲いの室内側に取り付けてある場合を示す。簡易構造物Ｙは、建物の外壁Ｘに沿って設置されるテラス囲いである。なお、以下の説明において左右方向とは図５における左右方向を示し、前後とは図５における奥側及び手前側を示すものとする。本簡易構造物Ｙは、図１乃至及び図７に示すように、建物の外壁Ｘに左右一対の躯体方立１１，１１が取り付けられ、屋外側に２本の柱１２，１２が地面から立設され、柱１２，１２の上端に桁１３が架設してあり、躯体方立１１と桁１３の間に腕木１４が取り付けてある。左右の柱１２，１２間及び、柱１２と躯体方立１１の間には、下端部において図示せぬベース材がそれぞれ取り付けられている。なお、本実施形態の簡易構造物Ｙは土間仕様であるが、床材を用いたデッキ仕様であってもよい。
【０００８】
簡易構造物Ｙは正面及び側面において開口部を有する。開口部にはＦＩＸ窓や引き違い戸等の開口部建材が取り付けられ、棚は開口部建材の室内側に取り付けられる。棚は正面又は側面のいずれの開口部建材に取り付けても良いが、ここでは、桁１３とベース材と左右の柱１２，１２間の前側開口部に設けられた開口部建材Ｏに棚を取り付けた場合を説明する。本実施形態において開口部建材Ｏは無目（横材）１５を有するＦＩＸ窓であって、左右の縦枠１６，１６と上下の横枠１７，１７によって枠組みされており、開口部建材Ｏの高さ方向略中間部は、無目１５によって仕切ってあり、左右方向略中間部は方立１８によって仕切ってある。開口部建材Ｏは、内周にガラスパネルを取り付けてある。
【０００９】
無目（横材）１５は、開口部建材Ｏの左右の縦枠１６，１６間の腰高さ位置に取り付けられていて、無目１５の室内側には長手方向に亘って、横バー３０が断面Ｌ字形状の取付材２０を介して無目１５との隙間Ｇを空けて取り付けてある。
【００１０】
横バー３０は、中空の略円筒形状であり、下面において長手方向に沿って溝３１を有する。溝３１は、断面が略凸字形状であり、凸字の底面において外周側へ向けて開口している。
【００１１】
取付材２０は、横バー３０を無目１５に取り付けるための、平板を折り曲げた形状の断面略Ｌ字状の部材であって、一端を無目１５の室内側見付面に室内側からネジ止めされていて、他端を、横バー３０の溝３１に挿入された裏板４０に、下からネジ止めされている。
【００１２】
棚板５０は、格子状の天板５１と、隙間Ｇに嵌まり込む左右一対の前脚部５２，５２（当接部）と、左右一対の後脚部５４，５４を有していて、前脚部５２の基部と後脚部５４の基部との間に位置する係合凹部５７は、棚板５０を横バー３０に載置したときに横バー３０に係合する形状である。なお、棚板５０は、横バー３０に載置するだけで設置可能であるが、横バー３０からの棚板５０の外れ止めのために、外れ止め金具４１を補助的に用いてもよい。外れ止め金具４１は、本実施例では平板を折り曲げた形状の断面略Ｌ字状であるが、横バー３０の下面に当接していれば良く、例えば平板状であってもよい。
以下、棚板５０について詳説する。
棚板５０の材質は問わないが、例えば重量のある鋳物等で形成すれば、棚板５０が横バー３０の長手方向にずれるのを防ぐことができる。
天板５１は、平面視において略長方形と略半円形を連結した形状の平板状部材である。
左右一対の前脚部５２は、天板５１の下面から下方に伸びて形成されていて、前端面には長方形平板状の緩衝材５３を有する。棚板５０を横バー３０に載置した際には、棚板５０は緩衝材５３の前面において無目１５に当接し、前脚部５２及び緩衝材５３の下端は横バー３０よりも下方に位置し、緩衝材５３の上端は横バー３０よりも上方に位置している。
左右一対の後脚部５４は、天板５１の下面から下方に伸びて形成されていて、外れ止め金具４１をネジ止めするためのネジ孔５５を有する。棚板５０を横バー３０に載置した際には、前脚部５２の下端面は横バー３０の下端面と略面一であり、一端を後脚部５４に化粧ネジ５６で固定された外れ止め金具４１の他端が、横バー３０の溝３１の上端面及び横バー３０の下端部に当接する。なお、化粧ネジ５６及び外れ止め金具４１は使用者によって容易に着脱可能である。
前脚部５２及び後脚部５４の基部は、両者間に位置する係合凹部５７において下面略円弧状に連続していて、係合凹部５７の下面は横バー３０の上面に係合する形状である。
【００１３】
次いで、本発明の棚の構成による作用および効果について説明する。
棚板５０は、天板５１と、隙間Ｇに嵌まり込む左右一対の前脚部５２，５２と、左右一対の後脚部５４，５４を有していて、前脚部５２の基部と後脚部５４の基部との間に位置する係合凹部５７は、棚板５０を横バー３０に載置したときに横バー３０に係合する形状であり、棚板５０は緩衝材５３を介して無目１５に当接し、前脚部５２及び緩衝材５３の下端は横バー３０よりも下方に位置し、緩衝材５３の上端は横バー３０よりも上方に位置している。このような構成であるので、棚板５０には自重及び天板５１上に載置した物の荷重によって、横バー３０を軸とした回転荷重がかかるが、棚板５０は緩衝材５３において無目１５に当接していることで横バー３０を軸とする回動を規制されているので、棚板５０が回動したり横バー３０から落下したりすることなく安定して設置可能である。したがって本発明の棚は、腰高さの無目１５の室内側に隙間Ｇを空けて取り付けた横バー３０の任意の位置に棚板５０を載置し、係合凹部５７を横バー３０に係合させるだけで設置可能であるので、例えばテラス囲い内での洗濯物干し等の作業の際に、かごや小物等を置くため棚板５０を所望の位置へと移動自在であり、また、棚を使わないときには棚板５０を容易に外すことができるので、利便性及び作業効率が良い。
【００１４】
また、棚板５０は、横バー３０の下面に当接する外れ止め金具４１を有しているので、人や荷物の接触によって下方からの外力が働いた際にも横バー３０から脱落することがなく、より安定して設置可能である。
【００１５】
本発明は、上記の実施形態に限定されない。例えば、本発明は簡易構造物の前面開口部だけでなく側面開口部にも適用可能であり、横材は無目に限定されない。また、テラス囲いに限らず様々な構造物にも広く適用できる。また開口部に納まる窓種はFIX窓に限らず、引き違い窓等のあらゆる建具枠を適用可能である。
【符号の説明】
【００１６】
１５    無目（横材）
Ｇ    隙間
３０    横バー
５０    棚板
５２    前脚部（当接部）
５７    係合凹部
【図１】
2019202033.tif 000003
【図２】
2019202033.tif 000004
【図３】
2019202033.tif 000005
【図４】
2019202033.tif 000006
【図５】
2019202033.tif 000007
【図６】
2019202033.tif 000008
【図７】
2019202033.tif 000009